(57)【要約】【課題】  撮像装置の本体部に対し表示部を開閉及び回転自在に取着することによって、また、表示部が本体部に対して収納された状態においても、撮像スイッチを撮像装置の表面に設けることによって、表示部の視認性を高め、撮像装置の様々な使用態様に対応することができるようにする。【解決手段】  後方側面にスタート／ストップスイッチ４が設けられたビデオカメラ１の本体部２に収納された撮像手段で撮像された映像信号をモニターするための表示面１５ａを備えたＬＣＤパネル１５の一側辺部を、本体部側面から他側辺部が離れるように回動可能に支持する回動支持部１７において、回動支持部の回動軸２０と直交する方向に回動軸２４を有する補助回動手段２２を介在させてＬＣＤパネルの表裏の一方を選択して本体部に対して収納できるように構成した。【選択図】図１
2005130530.tif 000002
【特許請求の範囲】
【請求項１】
被写体を撮像する撮像手段を収納した本体部と、
上記本体部に対して回動可能に設けられ、上記撮像手段において撮像された映像信号を表示する表示面を備えた表示部と、
上記表示部の一側辺部を、上記本体部側面から他側辺部が離れるように回動可能に支持する回動支持部と、
上記表示部を上記回動支持部の回動軸と直交する方向に回動可能にする回動軸を有する補助回動手段と、
撮像スイッチとを備え、
上記表示部は、表裏の一方を選択して上記本体部に対して収納できるようにされると共に、上記表示面が見えるように収納された状態においても使用することができるようにされ、
上記撮像スイッチは、上記表示部が上記本体部に対して収納された状態においても該撮像装置の表面に設けられたことを特徴とする撮像装置。
【請求項２】
回動支持部が本体部に固定されるブラケットと補助回動手段に固定されるヒンジユニットより成ることを特徴とする請求項１に記載の撮像装置。
【請求項３】
補助回動手段が回動支持部に固定された取付部と表示部の一部に固定されたブラケットとを有することを特徴とする請求項１又は請求項２に記載の撮像装置。
【発明の詳細な説明】
【技術分野】
【０００１】
本発明は新規な撮像装置に関する。詳しくは、撮像装置の本体部に対し表示部を開閉及び回転自在に取着することによって、また、表示部が本体部に対して収納された状態においても、撮像スイッチが撮像装置の表面に設けられることによって、表示部の視認性を高め、撮像装置の様々な使用態様に対応することができるようにした新規な撮像装置を提供しようとするものである。
【背景技術】
【０００２】
近年、小型撮像装置に液晶表示装置（以下、「ＬＣＤ」という。）を用いた電子ビューファインダー（以下、「ＥＶＦ」という。）を外部に一体化して設けたものがある。
【０００３】
このような撮像装置として、例えば、２つの筐体を連結手段によって一体的に連結し、一方の筐体が本体部、他方の筐体がＥＶＦ部とされ、本体部には撮影レンズ、ＣＣＤ等が内部に収納され、ＥＶＦ部には主にＥＶＦやビデオテープの録再機構等が収納されたものがある。
【０００４】
また、別な例としては、本体部の筐体内に撮影レンズ、ＣＣＤ、ビデオテープの録再機構等が収納された撮像装置であって、この本体部の外部にファインダーとは別に大型のＥＶＦを付加したものもある。
【０００５】
【特許文献１】実願平１‐３８１４７号の願書に添付された明細書及び図面を撮影したマイクロフィルム（実開平２‐１３０１６５号）
【発明の開示】
【発明が解決しようとする課題】
【０００６】
ところで、上記したような従来のＥＶＦを一体化した撮像装置にあっては、ＥＶＦ部あるいはＥＶＦが本体部に対して開閉あるいは回転するだけであって、撮像装置の使用時におけるＥＶＦ部あるいはＥＶＦの視認性を高めるための角度調整範囲の自由度が限定されていた。
【０００７】
また、後者の例においては、ＥＶＦの表示面が外側を向いたまま本体部側に収納されるものもあり、このような状態ではＥＶＦの表示面に傷や汚れが付着したり、甚だしい場合にはＬＣＤが損傷してしまうといった問題があり、従って、このような問題を回避するためにＥＶＦの表示面が内側を向いた状態で本体部側に収納されるようにしたものもあるが、このようにＥＶＦの表示面が内側を向いた状態で収納したままでは、ＥＶＦの表示面が見えず、このままでは使用できないという新たな問題があった。
【０００８】
そこで、本発明は、撮像装置の使用時におけるＥＶＦ部あるいはＥＶＦの視認性を高めるための角度調整範囲の自由度をより高めることを課題とする。
【課題を解決するための手段】
【０００９】
本発明は、上記した課題を解決するために、被写体を撮像する撮像手段を収納した本体部と、上記本体部に対して回動可能に設けられ、上記撮像手段において撮像された映像信号を表示する表示面を備えた表示部と、上記表示部の一側辺部を、上記本体部側面から他側辺部が離れるように回動可能に支持する回動支持部と、上記表示部を上記回動支持部の回動軸と直交する方向に回動可能にする回動軸を有する補助回動手段と、撮像スイッチとを備え、上記表示部は、表裏の一方を選択して上記本体部に対して収納できるようにされると共に、上記表示面が見えるように収納された状態においても使用することができるようにされ、上記撮像スイッチは、上記表示部が上記本体部に対して収納された状態においても該撮像装置の表面に設けられたものである。
【発明の効果】
【００１０】
本発明によれば、表示部が本体部側面から他側辺部が離れるような方向及びこの回動軸と直交する方向に回動軸を有する方向の２つの方向に回動自在とされ、表示部の表裏の一方を選択して収納することができるため、また、表示部が本体部に対して収納された状態においても、撮像スイッチが撮像装置の表面に設けられることにしたため、表示部の表示面が内側になるように収納すれば、表示部の表示面の破損、傷や汚れの付着を防止することができると共に、表示部の表示面が見えるように収納すれば、表示部を収納したままでも使用することができる。
【００１１】
そのうえ、表示部の表示面をカメラアングルに合わせて視認性が最も良い角度となるように自由に調整することもできる。
【発明を実施するための最良の形態】
【００１２】
以下に、本発明撮像装置の最良の形態を図１乃至図７に従って説明する。
【００１３】
２は撮像装置としてのビデオカメラ１の本体部であり、該本体部２は合成樹脂によって形成され、前方を向いた側面には被写体撮影用のレンズ３や図示しない内臓マイク等が取着されており、後方を向いた側面には撮影時のスタート／ストップスイッチ４等が設けられ、そして、右側面５にはビデオカメラを保持するためのグリップベルト６が取着されている。
【００１４】
そして、本体部２の左側面７には前方及び上方に段部８及び９が形成されることによって、左方、後方及び下方に開口した凹部１０が形成されている。
【００１５】
また、上記段部８の上下方向における略中間の位置において、凹部１０の上下の幅の略３分の１程度の範囲が更に前方に向かって伸びて凹部１１が形成され、後述するヒンジユニットを収納するための収納凹部となっている。
【００１６】
１２はＥＶＦであり、中央部に稍横長の開口１４を有する合成樹脂製の枠体１３に、該枠体１３の背面側から３乃至４インチ程度のＬＣＤパネル１５が取着固定され、このＬＣＤパネル１５の背面が背面カバー１６によって覆われ、従って、ＬＣＤパネル１５は枠体１３と背面カバー１６とによって前後から挟まれ、開口１４から表示面１５ａが露出するようになっている。
【００１７】
１７は前記ＥＶＦ１２を本体部２に連結支持する金属製の連結ユニットであり、ＥＶＦ１２の水平方向への回動及び該回動軸と直交した軸を中心とする回動（回転）を可能とするものである。
【００１８】
１８は開閉ブラケットであり、金属板を縦断面形状で略コ字状に折り曲げて成り、水平方向に伸びた上下の端部は外縁部の角が落とされて丸くされた支持片１８ａ、１８ａとされ、該支持片１８ａ、１８ａに挟まれた中間の部分が固定片１８ｂとされている。
【００１９】
また、上記支持片１８ａ、１８ａには後述する開閉連結ユニットの回動軸を嵌合してこれを回動自在に支持する支持孔１８ｃ、１８ｃが形成されている。
【００２０】
そして、上記開閉ブラケット１８は前記収納凹部１１内に、図６に示すように、本体部２の表面に対して凹部となっている収納凹部１１の底面である側面１１ｂに、例えば、ビス止め等の適宜な方法によって固定片１８ｂを固定し、これによって支持片１８ａ、１８ａが対向して水平方向に伸びるように配置されている。
【００２１】
１９は開閉ヒンジユニットであり、上記開閉ブラケット１８と同様に、金属板を縦断面形状で略コ字状に折り曲げて成るものであり、水平方向に平行して伸びる上下の両端部が被支持片１９ａ、１９ａであり、該被支持片１９ａ、１９ａの間で垂直方向に伸びる部分が回転支持部１９ｂである。
【００２２】
また、被支持片１９ａ、１９ａの外縁部は角が落とされて丸く形成され、中央にはそれぞれ上方又は下方へ向かって突出した回動軸２０、２０が一体的に形成されている。
【００２３】
更に、回転支持部１９ｂの中心部には挿通孔２１が形成されている。尚、該挿通孔２１の内径は、後述する回転ユニットの軸部材の外径より稍大きい程度とされている。
【００２４】
そして、開閉ヒンジユニット１９は、開閉ブラケット１８に収納凹部１１内で支持孔１８ｃ、１８ｃ内に回動軸２０、２０が挿入されることによって上下から挟まれるようにして支持され、これによって、開閉ヒンジユニット１９は垂直方向に伸びる回動軸２０、２０を中心として水平方向に回動自在となる。
【００２５】
２２は回転ユニットであり、略円筒状の基部２３と軸部材２４とから成るものである。
【００２６】
即ち、該回転ユニット２２の基部２３の一端には円盤状の取付フランジ２３ａが一体に形成され、中心部を一端から他端まで軸方向に貫通した支持孔２３ｂが両端に開口している。
【００２７】
また、軸部材２４は基部２３の支持孔２３ｂの内径より僅かに小さい外径、つまり、後述するように支持孔２３ｂ内において回転自在となる程度の外径を有し、一端部には板状で横断面形状が略Ｌ字状をした取付ブラケット２５がその一方の片２５ａが軸部材２４の軸方向に直交するように、即ち、フランジ状となるように一体的に取着され、他方の片２５ｂが一方の片２５ａの一側縁から軸部材２４の軸方向に且つ軸部材２４の突出方向と反対の方向に伸びるようにされ、また、軸部材２４の他端部には他端部には後述するｅリングの位置を固定するため係止溝２４ａが周方向に形成されている。
【００２８】
２６はカバー体であり、図４に示すように、一方が開口した長方形の箱状を為し、上下の壁部２６ａ、２６ｂの開口縁には切欠２７、２７が形成され、閉塞端２６ｃの中央には縦長長方形の開口２８が形成されている。
【００２９】
以上のような構成を有する回転ユニット２２は、基部２３の反取付フランジ２３ａ側の支持孔２３ｂの開口から軸部材２４を、取付ブラケット２５が取着された側と反対側から挿入して取付ブラケット２５の一方の片２５ａと基部２３の端面とが当接するようにする。
【００３０】
次に、上記したように一体化された回転ユニット２２を開閉ヒンジユニット１９の回転支持部１９ｂに取着する。
【００３１】
即ち、開閉ヒンジユニット１９の回転支持部１９ｂに形成された挿通孔２１に、回転支持部１９ｂの被支持片１９ａ、１９ａが水平方向に突出した側から、上記したように組み立てた回転ユニット２２の軸部材２４を挿入し、挿通孔２１の開口縁に取付フランジ２３ａを当接させて、取付フランジ２３ａを回転支持部１９ｂに図示しないビス止め等の適宜な方法によって固定する。
【００３２】
そして、回転支持部１９ｂの挿通孔２１から突出した軸部材２４の係止溝２４ａにｅリング２９を係止することによって抜け止めを為す。
【００３３】
そして最後に、図６及び図７に示すように、カバー体２６を連結ユニット１７の略全体を覆うように開閉ヒンジユニット１９に取付ブラケット２５が突出した側から外嵌すると、切欠２７、２７を通して回動軸２０、２０が上下に突出し、開口２８から回転ユニット２２の軸部材２４の先端の取付ブラケット２５が突出するようになる。
【００３４】
このようにして、開閉ヒンジユニット１９と回転ユニット２２とが、図５乃至図７に示すように一体化され、取付ブラケット２５が開閉ヒンジユニット１９の回動軸２０、２０を支点として水平方向に回動自在となり、同時に、回動軸２０、２０と直交した方向に延びる回転ユニット２２の軸部材２４を回転軸として回転自在となる。
【００３５】
尚、ＥＶＦ１２は取付ブラケット２５に取着されて支持されることとなるが、例えば、詳しい図示は省略するが、取付ブラケット２５の一方の片２５ａ及び他方の片２５ｂにビス孔を形成する等して、一方の片２５ａが枠体１３に、他方の片２５ｂが背面カバー１６にビス止めされる。
【００３６】
本発明ビデオカメラにおける連結ユニットの別の例１７Ａを図８乃至図１３に従って説明する。
【００３７】
尚、連結ユニット１７Ａは、前記連結ユニット１７にロック手段を追加したことと、これに伴う一部の構造が異なるのみであるので、前記連結ユニット１７と同様な部分については、前記連結ユニット１７において用いた符号と同様の符号を付することによってその説明を省略する。
【００３８】
４０、４０は対を為す開閉ブラケットであり、金属板を縦断面形状で略Ｌ字状に折り曲げて成るものであり、それぞれ一方の端部は外縁部が角が落とされて丸くされた支持片４０ａ、４０ａとされ、他方が固定片４０ｂ、４０ｂとされている。
【００３９】
また、上記開閉ブラケット４０、４０のそれぞれの支持片４０ａ、４０ａには、開閉ヒンジユニット１９の回動軸２０を嵌合してこれを回動自在に支持する支持孔４０ｃ、４０ｃが形成されている。
【００４０】
４１は収納凹部１１内において、図８に示すように、上下方向における略中間の位置で収納凹部１１の前側面１１ａと、該前側面１１ａに垂直をなし、本体部２の表面に対して凹部となっている収納凹部１１の底面たる側面１１ｂから水平方向に突出したガイドリブである。
【００４１】
ガイドリブ４１の端縁４１ａ、即ち、水平方向に突出したガイドリブ４１の左斜め後方を向いた端面は、円弧状に窪んで湾曲するように形成されている。
【００４２】
そして、開閉ブラケット４０、４０は収納凹部１１内において、図１０に示すように、各固定片４０ｂ、４０ｂが側面１１ｂに、上下から上記ガイドリブ４１を挟み、かつ、支持片４０ａ、４０ａが対向して水平方向に伸びるように、ビス止め等の適宜な方法で固定される。
【００４３】
そして、開閉ヒンジユニット１９は、開閉ブラケット４０、４０に収納凹部１１内で支持孔４０ｃ、４０ｃ内に回動軸２０、２０が挿入されることによって上下から挟まれるようにして支持され、これによって、開閉ヒンジユニット１９は垂直方向に伸びる回動軸２０、２０を中心として水平方向に回動自在となる。
【００４４】
４２は回転ユニットであり、略円筒状の基部４３と軸部材４４とから成るものである。
【００４５】
即ち、該回転ユニット４２の基部４３の一端には円盤状の取付フランジ４３ａが一体に形成され、中心部を一端から他端まで軸方向に貫通した支持孔４３ｂが両端に開口している。
【００４６】
また、軸部材４４は基部４３の支持孔４３ｂの内径より僅かに小さい外径、つまり、後述するように支持孔４３ｂ内において回転自在となる程度の外径を有し、一端部には板状で横断面形状が略Ｌ字状をした取付ブラケット４５がその一方の片４５ａが軸部材４４の軸方向に直交するように、即ち、フランジ状となるように一体的に取着され、他方の片４５ｂが一方の片４５ａの一側縁から軸部材４４の軸方向に且つ軸部材４４の突出方向と反対の方向に伸びるようにされ、また、軸部材４４の他端部には軸方向に切れ込むと共に、前記ガイドリブ４１の厚みより稍大きな幅を有するスリット４６が形成され、更に、該スリット４６が形成されている部分から稍取付ブラケット４５が取着されている側に稍寄った部分には係止溝４４ａが周方向に形成されている。
【００４７】
尚、軸部材４４のスリット４６と取付ブラケット４５との位置関係は、軸部材４４の軸方向から見て、その一方の片４５ａへと続く側とは反対側の他方の片４５ｂの側縁の伸びる方向とスリット４６の伸びる方向がと略９０度の角度を為す、即ち、直交するようにされている。
【００４８】
４７はカバー体であり、図８に示すように、一方が開口した長方形の箱状を為し、上下の壁部４７ａ、４７ｂの開口縁には切欠４８、４８が形成され、閉塞端４７ｃの中央には縦長長方形の開口４９が形成され、更に、図８において左側及び右側の側壁４７ｄ、４７ｅの上下方向における中間部には開口縁から閉塞端４７ｃの方へ水平に伸びたスリット５０、５０が形成されている。尚、このスリット５０、５０は、後述するように、カバー体４７が開閉ヒンジユニット１９に外嵌された状態において、カバー体４７がＥＶＦ１２の回動に伴って収納凹部１１内で回動する際に、側面４７ｄ、４７ｅとガイドリブ４１とが干渉しないようにするためのものである。
【００４９】
以上のような構成を有する回転ユニット４２は、基部４３の反取付フランジ４３ａ側の支持孔４３ｂの開口から軸部材４４をスリット４６が形成された側から挿入して取付ブラケット４５の一方の辺４５ａと基部４３の端面とが当接するようにする。
【００５０】
次に、回転ユニット４２を開閉ヒンジユニット１９の回転支持部１９ｂに取着する。
【００５１】
即ち、開閉ヒンジユニット１９の回転支持部１９ｂに形成された挿通孔２１に、回転支持部１９ｂの被支持片１９ａ、１９ａが水平方向に突出した側から上記したように組み立てた回転ユニット４２の軸部材４４を挿入し、挿通孔２１の開口縁に取付フランジ４３ａを当接させて、図示しないビス止め等の適宜な方法によって開閉ヒンジユニット１９への基部４３の固定を行う。
【００５２】
そして、回転支持部１９ｂの挿通孔２１から突出した軸部材４４にの係止溝４４ａにｅリング２９を係止することによって抜け止めを為す。
【００５３】
そして最後に、図９及び図１０に示すように、カバー体４７を連結ユニット１７Ａの略全体を覆うように取付ブラケット４５が突出した側から開閉ヒンジユニット１９に外嵌すると、切欠４８、４８を通して回動軸２０、２０が上下に突出し、開口４９から回転ユニット４２の軸部材４４の先端の取付ブラケット４５が突出するようになる。
【００５４】
このようにして、開閉ヒンジユニット１９と回転ユニット４２とが、図９乃至図１１に示すように一体化され、取付ブラケット４５が開閉ヒンジユニット１９の回動軸２０、２０を支点として水平方向に回動自在となり、同時に、回動軸２０、２０と直交した方向に延びる回転ユニット４２の軸部材４４を回転軸として回転自在となる。
【００５５】
尚、ＥＶＦ１２は、前述した実施例の場合と同様に、取付ブラケット４５の一方の片４５ａが枠体１３に、他方の片４５ｂが背面カバー１６に取着される。
【００５６】
ところで、上述したように組み立てられて成る連結ユニット１７Ａは、ビデオカメラ１の本体部２に形成された収納凹部１１内に収納されているわけであるが、該収納凹部１１には水平方向に突出したガイドリブ４１があり、回転ユニット４２の軸部材４４の先端が回動によって移動する時にガイドリブ４１と対応する一定の範囲内にあるときは、ガイドリブ４１とスリット４６とが係合し、スリット４６内でガイドリブ４１が上下から挟まれたような状態となるようにされている。
【００５７】
従って、連結ユニット１７Ａの動きは，上記ガイドリブ４１と軸部材４４のスリット４６との位置関係により規制される。
【００５８】
以下に連結ユニット１７Ａの動作について、図１２及び図１３に示す概略図を用いて説明する。
【００５９】
即ち、前述したように、ガイドリブ４１は上方から見て端縁４１ａが円弧状を為すようにされており、この円弧の基となる円の中心は回動軸２０、２０の中心軸にあるようにされて、開閉ヒンジユニット１９の回動支点と一致しており端縁４１ａを形成する円弧を含んだ扇形の角度は９０度以下とされている。
【００６０】
そして、図１２及び図１３のＡの範囲内に回転ユニット４２の軸部材４４が位置している時は、ガイドリブ４１の端縁４１ａと軸部材４４の先端のスリット４６とが係合しているため軸部材４４（回転ユニット４２）は回転することができない。
【００６１】
一方、Ｂの範囲内に回転ユニット４２の軸部材４４がある時は、ガイドリブ４１と軸部材４４の先端のスリット４６は係合していないので軸部材４４は自由に回転することができる。
【００６２】
しかしながら、上記Ｂの範囲内に回転ユニット４２の軸部材４４がある時は、軸部材４４のスリット４６がリブ４１の端縁４１ａの伸びる方向と平行になっていないとリブ４１の端縁４１ａと係合することができず、開閉ヒンジユニット１９は後方（本体部２側）へ回動することができない。
【００６３】
このように、連結ユニット１７Ａにおいては、回転又は回動の一方の動作途中においては他方の動作を行うことができないという構造であるため、ＥＶＦ１２を本体部２の収納凹部１１に収納する時には回転させることができず常に一定の方向を向いているため本体部２の一部と接触したり、連結ユニット１７Ａがこじられて破損することもなく、ＬＣＤパネル１５の表示面１５ａの向きにかかわらず、正確に収納凹部１１に収納させることができ、逆に、ＥＶＦ１２が本体部２の横に開かれて僅かでも回転ユニット４２が回転した状態においては本体部２の側へ回動させることができないので、ＥＶＦ１２が傾いたまま収納凹部１１に収納されることによるＥＶＦ１２や連結ユニット１７の破損が生じることもない。
【００６４】
尚、上記した最良の形態において、ＥＶＦ１２の連結ユニット１７または１７Ａによる回動及び回転は無負荷状態で無段階に行われるものを示したが、例えば、適宜なクリック機構やダンパー等を用いることによって、段階的または負荷が懸った状態で行われるようにすれば、不用意にＥＶＦ１２が動いてしまうことを防止することができる。
【００６５】
また、ＥＶＦ１２はＬＣＤパネル１５を用いたものを示したが、本発明はこのような特定の機構によるＥＶＦに限定されるものではなく、例えば、小型、薄型のＣＲＴを用いて表示するものも考えられる。
【００６６】
上記した最良の形態において示した各部の具体的な形状乃至構造は、本発明を実施するに当たっての具体化のほんの一例を示したものに過ぎず、これらによって本発明の技術的範囲が限定的に解釈されることがあってはならないものである。
【図面の簡単な説明】
【００６７】
【図１】図２乃至図７と共に本発明撮像装置の最良の形態を示すものであり、本図は使用状態を示す斜視図である。
【図２】ＥＶＦが収納された状態を示す斜視図である。
【図３】ＥＶＦを図２とは逆の向きで収納した状態を示す斜視図である。
【図４】要部の分解斜視図である。
【図５】要部の拡大水平断面図である。
【図６】図５のＶＩ−ＶＩ線に沿う断面図である。
【図７】図６のＶＩＩ−ＶＩＩ線に沿う断面図である。
【図８】図９乃至図１３と共に本発明撮像装置における連結ユニットの別の例を示すものであり、本図は要部の分解斜視図である。
【図９】要部の拡大水平断面図である。
【図１０】図９のＸ−Ｘ線に沿う断面図である。
【図１１】図１０のＸＩ−ＸＩ線に沿う断面図である。
【図１２】動作原理を示す概略斜視図である。
【図１３】図１２とは別の方向から見た概略図である
【符号の説明】
【００６８】
１…ビデオカメラ（撮像装置）、２…本体部、４…スタート／ストップスイッチ（撮像スイッチ）、１５…ＬＣＤパネル（表示部）、１５ａ…表示面、１７…ヒンジユニット（回動支持部）、１８…開閉ブラケット（ブラケット）、１９…開閉ヒンジユニット（ヒンジユニット）、２０…回動軸、２２…回転ユニット（補助回動手段）、２３…基部（取付部）、２４…軸部材（回転軸）、２５…取付ブラケット（ブラケット）、１７Ａ…ヒンジユニット（回動支持部）、４０…開閉ブラケット（ブラケット）、４２…回転ユニット（補助回動手段）、４３…基部（取付部）、４４…軸部材（回転軸）、４５…取付ブラケット（ブラケット）
【図１】
2005130530.tif 000003
【図２】
2005130530.tif 000004
【図３】
2005130530.tif 000005
【図４】
2005130530.tif 000006
【図５】
2005130530.tif 000007
【図６】
2005130530.tif 000008
【図７】
2005130530.tif 000009
【図８】
2005130530.tif 000010
【図９】
2005130530.tif 000011
【図１０】
2005130530.tif 000012
【図１１】
2005130530.tif 000013
【図１２】
2005130530.tif 000014
【図１３】
2005130530.tif 000015